(57)【要約】【課題】  ユーザ満足度の高いサービスを提供することのできる預金管理システムを提供する。【解決手段】  銀行センタ１２は、口座についての入出金の状況を示す取引情報を管理する。現金移動装置１３は、受信した口座情報によって示される口座の入出金を銀行センタ１２に通知可能であり、その口座情報によって示される口座の取引情報を銀行センタ１２から取得する。セキュアデバイス装置１４は、内部に、ユーザの口座についての口座情報を格納し、取引情報を更新可能かつ情報処理装置で表示可能に記録している。そして、セキュアデバイス装置１４は、口座情報を現金移動装置１３に送信し、その現金移動装置１３が銀行センタ１２から取得した取引情報を現金移動装置１３から受信して内部の取引情報を更新する。【選択図】      図１
2006330992.tif 000002
【特許請求の範囲】
【請求項１】
ユーザの口座の預金を管理する預金管理システムであって、
前記口座についての入出金の状況を示す取引情報を管理する銀行センタと、
受信した口座情報によって示される口座の入出金を前記銀行センタに通知可能であり、該口座情報によって示される口座の取引情報を前記銀行センタから取得する現金移動装置と、
内部に、前記ユーザの口座についての口座情報を格納しており、前記口座情報を前記現金移動装置に送信し、該現金移動装置が前記銀行センタから取得した前記取引情報を該現金移動装置から受信して、情報処理装置で表示可能に内部に記録するセキュアデバイス装置とを有する預金管理システム。
【請求項２】
ユーザの口座の預金を管理する預金管理システムであって、
前記口座について取引を行い、入出金の状況を示す取引情報を管理する銀行センタと、
インターネット経由で口座情報を受信し、該口座情報によって示される口座の取引を前記銀行センタに指示可能であり、該口座情報によって示される口座の取引情報を前記銀行センタから取得するバンキングサーバと、
前記ユーザの口座について、口座情報を情報処理装置で読み取り可能に格納しており、前記情報処理装置に装着され、該情報処理装置が前記バンキングサーバに接続すると該情報処理装置を介して前記バンキングサーバに前記口座情報を送信し、該バンキングサーバが前記銀行センタから取得した前記取引情報を該バンキングサーバから受信して、前記情報処理装置で表示可能に内部に記録するセキュアデバイス装置とを有する預金管理システム。
【請求項３】
ユーザの口座についての入出金の状況を示す取引情報を管理する銀行センタと、口座情報を与えられ、該口座情報によって示される口座の入出金を前記銀行センタに通知可能であり、該口座情報によって示される口座の取引情報を前記銀行センタから取得する現金移動装置とを含む預金管理システムにより前記口座の預金を管理するための預金管理方法であって、
セキュアデバイス装置が前記ユーザの口座についての口座情報を格納しておくステップと、
前記セキュアデバイス装置から前記現金移動装置に前記口座情報を送信するステップと、
該口座情報を受信した該現金移動装置が、該口座情報によって示される口座の取引情報を前記銀行センタから取得するステップと、
前記セキュアデバイス装置が該現金移動装置から該取引情報を受信して、情報処理装置で表示可能に内部に記録するステップとを有する預金管理方法。
【請求項４】
ユーザの口座について取引を行い、入出金の状況を示す取引情報を管理する銀行センタと、インターネット経由で口座情報を受信し、該口座情報によって示される口座の取引を前記銀行センタに指示可能であり、該口座情報によって示される口座の取引情報を前記銀行センタから取得するバンキングサーバとを含む預金管理システムにより前記口座の預金を管理するための預金管理方法であって、
セキュアデバイス装置が、前記ユーザの口座についての口座情報を格納しておくステップと、
前記セキュアデバイス装置が装着された情報処理装置が前記バンキングサーバに接続すると、前記セキュアデバイス装置から該情報処理装置を介して前記バンキングサーバに前記口座情報を送信するステップと、
該口座情報を受信した該バンキングサーバが、該口座情報によって示される口座の取引情報を前記銀行センタから取得するステップと、
前記セキュアデバイス装置が該バンキングサーバから該取引情報を受信して、前記情報処理装置で表示可能に内部に記録するステップとを有する預金管理方法。
【請求項５】
ユーザの口座情報を格納しており、該口座情報によって示される口座の取引を可能とするセキュアデバイス装置であって、
ユーザによる口座の現金の移動を可能にする現金移動装置に前記口座情報を送信する口座情報送出部と、
該口座情報によって示される口座の取引情報を前記現金移動装置から受けて記録する取引情報記録部とを有するセキュアデバイス装置。
【請求項６】
ユーザの口座情報を格納しており、該口座情報によって示される口座の取引を可能とするセキュアデバイス装置であって、
前記セキュアデバイス装置が装着された情報処理装置を介して、インターネット経由の取引を可能にするインターネットバンキングサーバに前記口座情報を送信する口座情報送出部と、
該口座情報によって示される口座の取引情報を前記インターネットバンキングサーバから受けて記録する取引情報記録部とを有するセキュアデバイス装置。
【請求項７】
前記取引情報記録部に記録する取引情報を暗号化する取引情報暗号化部と、
前記取引情報記録部に記録されている、暗号化された取引情報を復号する取引記録復号部とをさらに有する、請求項５または６に記載のセキュアデバイス装置。
【請求項８】
前記取引情報記録部に記録されている取引情報の開示の可否を認証により判定する取引記録アクセス判定部をさらに有する、請求項５〜７のいずれか１項に記載のセキュアデバイス装置。
【請求項９】
請求項８記載のセキュアデバイス装置を装着可能な情報処理装置であって、
前記セキュアデバイス装置内の取引情報の開示可否を判定するための認証情報をユーザに要求し、前記ユーザから与えられた認証情報を前記セキュアデバイス装置に送信する認証情報送信部と、
前記認証情報を用いた前記セキュアデバイス装置による認証で前記取引情報の開示が可であると判定されたとき前記セキュアデバイス装置から送信される前記取引情報を表示する取引記録表示部とを有する情報処理装置。
【請求項１０】
前記セキュアデバイス装置から得られた前記取引情報に対して、検索または並べ替えの少なくとも一方を行って得られた結果を表示する検索・並べ替え部をさらに有する、請求項９記載の情報処理装置。
【発明の詳細な説明】
【技術分野】
【０００１】
本発明は、口座の入出金状況を管理する預金管理システムに関する。
【背景技術】
【０００２】
従来の一般的な預金管理システムでは、ユーザがＡＴＭ（Automated Teller Machine：現金自動預入支払機）等の現金移動装置を操作して口座の現金を移動（預け入れ、引き出し、振り込み等）することが行われている。現金移動の際には、ユーザは口座の暗証番号や移動させる金額などをＡＴＭに手操作で入力するのが一般的である。
【０００３】
また、現金移動の際の移動金額や口座暗証番号などの入力作業を省略可能なシステムも提案されている（例えば、特許文献１参照）。
【０００４】
また、ユーザがＡＴＭを操作せずにインターネット経由で口座間取引を行うことが可能なインターネットバンキングも既に提供されている。
【０００５】
一方、パソコン、携帯型情報端末（ＰＤＡ）、携帯電話などの情報機器ではメモリカードの利用が進んでおり、このメモリカードの上位互換としてＩＣカード機能を一体化したカードが実用化されつつある。このような新たなカードは大容量を有しており様々な利用が期待されている。この大容量の新たなカードをセキュアデバイスとして用いることにより預金管理のようなセキュリティ性の要求されるシステムにおいてセキュリティ性の高いサービスを実現可能であると考えられる。
【特許文献１】特開２００３−９９６１１号公報
【発明の開示】
【発明が解決しようとする課題】
【０００６】
従来の預金管理システムでは、ＡＴＭからセンタへの口座情報の通知を可能にするキャッシュカードと、センタから通知された口座の入出金状況情報を記録する預金通帳とが別個に存在する。そのため、ＡＴＭを操作して最新の入出金状況情報を記録するためには、キャッシュカードと預金通帳の持ち運ぶ必要があり、ユーザの携帯性に問題があった。
【０００７】
また、預金通帳が紙ベースであるため、それが人手に渡れば口座の入出金状況というプライバシー情報を容易に知られてしまうというセキュリティ性の問題もあった。
【０００８】
また、インターネットバンキングは通帳と切り離された形で実行されるため、インターネットバンキングで口座間取引を行ったとき、同時に取引結果である取引情報を通帳に記帳することができなかった。
【０００９】
これらのように、ユーザの携帯性、プライバシー情報のセキュリティ、通帳の即時の更新など、ユーザの満足度が必ずしも高いとは言えなかった。
【００１０】
本発明の目的は、ユーザ満足度の高いサービスを提供することのできる預金管理システムを提供することである。
【課題を解決するための手段】
【００１１】
上記目的を達成するために、本発明の預金管理システムは、ユーザの口座の預金を管理する預金管理システムであって、
口座についての入出金の状況を示す取引情報を管理する銀行センタと、
受信した口座情報によって示される口座の入出金を銀行センタに通知可能であり、その口座情報によって示される口座の取引情報を銀行センタから取得する現金移動装置と、
内部に、ユーザの口座についての口座情報を格納しており、口座情報を現金移動装置に送信し、その現金移動装置が銀行センタから取得した取引情報をその現金移動装置から受信して、情報処理装置で表示可能に内部に記録するセキュアデバイス装置とを有している。
【００１２】
これによれば、ユーザが現金移動装置に提示したセキュアデバイス装置が、現金移動装置に口座情報を通知し、取引の結果である取引情報が銀行センタから現金移動装置を経由して送られてくると、それを記録するので、ユーザは従来のようにキャッシュカードと預金通帳の両方を携帯することなく、セキュアデバイス装置を携帯するだけで取引と記帳の双方を行うことができる。また、セキュアデバイス装置に取引情報が記録されるので、従来の紙ベースの預金通帳に比べて、セキュリティ性の高いサービスを提供することができる。
【００１３】
また、本発明の他の預金管理システムは、ユーザの口座の預金を管理する預金管理システムであって、
口座について取引を行い、入出金の状況を示す取引情報を管理する銀行センタと、
インターネット経由で口座情報を受信し、その口座情報によって示される口座の取引を銀行センタに指示可能であり、その口座情報によって示される口座の取引情報を銀行センタから取得するバンキングサーバと、
ユーザの口座について、口座情報を情報処理装置で読み取り可能に格納しており、情報処理装置に装着され、その情報処理装置がバンキングサーバに接続するとその情報処理装置を介してバンキングサーバに口座情報を送信し、そのバンキングサーバが銀行センタから取得した取引情報をそのバンキングサーバから受信して、情報処理装置で表示可能に内部に記録するセキュアデバイス装置とを有している。
【００１４】
これによれば、ユーザが携帯端末をバンキングサーバに接続すると、セキュアデバイス装置がバンキングサーバに口座情報を通知し、取引の結果である取引情報が銀行センタからバンキングサーバを経由して送られてくると、それを記録するので、インターネットバンキングにおいて従来には不可能であった即時の記帳を行うことができる。
【００１５】
本発明のセキュアデバイス装置は、ユーザの口座情報を格納しており、その口座情報によって示される口座の取引を可能とするセキュアデバイス装置であって、
ユーザによる口座の現金の移動を可能にする現金移動装置に口座情報を送信する口座情報送出部と、
その口座情報によって示される口座の取引情報を現金移動装置から受けて記録する取引情報記録部とを有している。
【００１６】
また、本発明の他のセキュアデバイス装置は、ユーザの口座情報を格納しており、該口座情報によって示される口座の取引を可能とするセキュアデバイス装置であって、
前記セキュアデバイス装置が装着された情報処理装置を介して、インターネット経由の取引を可能にするインターネットバンキングサーバに前記口座情報を送信する口座情報送出部と、
該口座情報によって示される口座の取引情報を前記インターネットバンキングサーバから受けて記録する取引情報記録部とを有している。
【００１７】
また、本発明のセキュアデバイス装置は、前記取引情報記録部に記録する取引情報を暗号化する取引情報暗号化部と、
前記取引情報記録部に記録されている、暗号化された取引情報を復号する取引記録復号部とをさらに有することとしてもよい。
【００１８】
これによれば、セキュアデバイス装置は、取引情報を暗号化して記録するので、セキュアデバイス装置が人手に渡った場合でもプライバシー情報である取引情報の漏洩を防止することができる。
【００１９】
また、本発明のセキュアデバイス装置は、前記取引情報記録部に記録されている取引情報の開示の可否を認証により判定する取引記録アクセス判定部をさらに有することとしてもよい。
【００２０】
これによれば、セキュアデバイス装置は、認証によりアクセスを許可されたユーザのみに取引情報を開示するので、取引情報について高いセキュリティ性を確保することができるとともに、限定された複数のユーザ間で取引情報を共有することもできる。
【００２１】
本発明の情報処理装置は、取引情報の開示の可否を判定する本発明のセキュアデバイス装置を装着可能な情報処理装置であって、
前記セキュアデバイス装置内の取引情報の開示可否を判定するための認証情報をユーザに要求し、前記ユーザから与えられた認証情報を前記セキュアデバイス装置に送信する認証情報送信部と、
前記認証情報を用いた前記セキュアデバイス装置による認証で前記取引情報の開示が可であると判定されたとき前記セキュアデバイス装置から送信される前記取引情報を表示する取引記録表示部とを有している。
【００２２】
これによれば、情報処理装置がユーザから与えられた認証情報をセキュアデバイス装置に送り、認証を得て取引情報を表示することができるので、ユーザは安全かつ容易に取引情報を確認することができる。
【００２３】
また、本発明の情報処理装置は、前記セキュアデバイス装置から得られた前記取引情報に対して、検索または並べ替えの少なくとも一方を行って得られた結果を表示する検索・並べ替え部をさらに有することとしてもよい。
【００２４】
これによれば、情報処理装置はセキュアデバイス装置から取得した取引情報に対して検索または並べ替えを行って表示することができるので、利便性の高いサービスをユーザに提供することができる。
【発明の効果】
【００２５】
本発明によれば、ユーザ満足度の高いサービスを提供することができる預金管理システムおよび預金管理方法、それに用いられるセキュアデバイス装置および情報処理装置を提供することができる。
【発明を実施するための最良の形態】
【００２６】
本発明を実施するための形態について図面を参照して詳細に説明する。
【００２７】
図１は、第１の実施形態による預金管理システムの構成を示すブロック図である。
【００２８】
図１を参照すると、預金管理システムは、銀行センタ１２、現金移動装置１３、携帯端末１５、およびセキュアデバイス装置１４を有している。
【００２９】
現金移動装置１３と銀行センタ１２は例えば専用線１１で接続されている。セキュアデバイス装置１４と現金移動装置１３は接触型あるいは非接触型のＩＣカードインターフェース１０で接続される。
【００３０】
銀行センタ１２は、各ユーザの口座における取引処理を行い、入出金の状況を示す取引情報を記録・管理し、また通知する。取引処理とは、例えば口座間の現金の移動（振込み、引き落とし）、現金の預け入れ、払い出しなどの処理である。取引に際して、銀行センタ１２は、現金移動装置１３を経由してユーザの認証を行い、認証がＯＫとなったユーザの指示に従って取引処理を行う。
【００３１】
現金移動装置１３は、例えばユーザの操作に従って口座の現金の入出金を銀行センタに通知可能なＡＴＭである。現金移動装置１３は、ユーザの操作およびセキュアデバイス装置１４からの口座情報に基づきユーザの口座の入出金を行い、銀行センタ１２との間での情報を送受信して銀行センタ１２に取引処理を行わせ、またその結果の取引情報を銀行センタ１２から受信してセキュアデバイス装置１４に送る。
【００３２】
携帯端末１５は、セキュアデバイス装置１４を着脱可能な携帯電話、携帯型情報端末（ＰＤＡ）などである。携帯端末１５は、ユーザの操作に従ってセキュアデバイス装置１４へアクセスし、取引情報を取り出して表示する。セキュアデバイス装置１４にアクセスするとき、携帯端末１５は、認証のために、ユーザの入力した認証情報をセキュアデバイス装置１４に送る。また、ここでは好適な例として携帯端末を示しているが、本発明はこれに限定されるものではなく、セキュアデバイス装置１４を装着可能な情報処理装置であればよく携帯性は必須ではない。
【００３３】
セキュアデバイス装置１４は、例えば携帯端末１５に着脱可能なカード型のセキュアデバイスである。具体例としてはＩＣカード機能を一体化したメモリカードなどがある。セキュアデバイス装置１４は、携帯端末１５に装着された状態で利用される場合と、取り外された単独の状態で利用される場合とがある。
【００３４】
ユーザは、現金移動装置１３を操作して現金の移動を行う場合、従来のようにキャッシュカードを挿入する代わりに、このセキュアデバイス装置１４の装着された携帯端末１５を現金移動装置１３に提示することとなる。
【００３５】
図２は、セキュアデバイス装置１４の構成を示すブロック図である。
【００３６】
図２を参照すると、セキャデバイス装置１４は、口座情報送出部２１、取引情報暗号化部２２、取引情報記録部２３、取引記録アクセス判定部２４、および取引記録復号部２５を有している。
【００３７】
口座情報送出部２１は、ユーザの口座番号などの口座情報を格納しており、ユーザがセキュアデバイス装置１４を現金移動装置１３に提示したとき、口座情報を現金移動装置１３に送信する。
【００３８】
取引情報暗号化部２２は、銀行センタ１２から現金移動装置１３を経由して受信した取引情報を暗号化する。
【００３９】
取引情報記録部２３は、取引情報暗号化部２２で暗号化された取引情報を記録する。取引情報記録部２３に記録された取引情報は更新が可能であり、また携帯端末１５による表示が可能である。
【００４０】
取引記録アクセス判定部２４は、ユーザが携帯端末１５を操作して入力した認証情報に基づき認証を行い、取引情報記録部２３に記録されている取引情報の開示の可否を判定する。
【００４１】
取引記録復号部２５は、取引記録アクセス判定部２４にて開示可能と判定された取引情報を取引情報記録部２３より取り出して復号し、携帯端末１５に送信する。
【００４２】
図３は、ユーザが現金移動装置１３にてセキュアデバイス装置１４を用いて取引を行うときのシステム動作を示すシーケンス図である。
【００４３】
図３を参照すると、まず、ユーザがセキュアデバイス装置１４を現金移動装置１３に提示すると、セキュアデバイス装置１４と現金移動装置１３が相互に認証を行う。このときに行われる認証は、一例として、認証局（不図示）により発行される公開鍵および秘密鍵を用いて行うこととしてもよい。
【００４４】
相互認証の後、セキュアデバイス装置１４は、口座情報を現金移動装置１３に送信する。現金移動装置１３は口座情報を受信すると、それを読み込んだ後、ユーザに暗証番号（ＰＩＮ(Personal Identity Number)コード）などの認証情報の入力を要求する。ユーザが認証情報を入力すると、現金移動装置１３は、口座情報および認証情報を銀行センタ１２に送信する。
【００４５】
銀行センタ１２は、口座情報および認証情報を受信すると、認証情報に基づいてユーザの認証を行い、認証結果を現金移動装置１３に送信する。
【００４６】
現金移動装置１３は、銀行センタ１２からの認証結果がＮＧであれば、処理を中止する。また、認証結果がＯＫであれば、ユーザに取引操作を要求する。ユーザが取引操作を行うと、現金移動装置１３は、ユーザ操作に基づき取引情報を生成して銀行センタ１２に送信する。取引情報には、口座間の現金の移動、現金の預け入れ、払い出しなどによる入出金を示す情報が含まれている。
【００４７】
取引情報を受信した銀行センタ１２は、その取引情報に基づく取引処理により、自身の記録管理している情報を更新し、通帳記帳処理を行う。通帳記帳処理とは、取引処理により更新した未記帳の取引情報をユーザのセキュアデバイス装置１４に反映させるための処理である。通帳記帳処理により、銀行センタ１２は、未記帳の取引情報を現金移動装置１３に送信する。
【００４８】
銀行センタ１２から取引情報を受信した現金移動装置１３は、その取引情報をセキュアデバイス装置１４に送信する。現金移動装置１３から未記帳の取引情報を受信したセキュアデバイス装置１４は、その取引情報を暗号化して記録する。
【００４９】
以上説明したように、本実施形態の預金管理システムによれば、ユーザにより現金移動装置１３に提示されるとセキュアデバイス装置１４が現金移動装置１３に口座情報を通知し、取引の結果である取引情報が銀行センタ１２から現金移動装置１３を経由して送られてくると、それを記録するので、ユーザは従来のようにキャッシュカードと預金通帳の両方を携帯することなく、セキュアデバイス装置１４を携帯するだけで取引と記帳の双方を行うことができる。
【００５０】
また、本実施形態の預金管理システムによれば、セキュアデバイス装置１４に取引情報が記録されるので、従来の紙ベースの預金通帳に比べて、セキュリティ性の高いサービスを提供することができる。
【００５１】
また、本実施形態の預金管理システムは、現金移動装置１３と銀行センタ１２の間のトランザクション処理として、従来システムから変更あるいは新たな処理を追加することなく実現できるので、従来システムからの移行が容易であり、また移行に伴うコストも低く抑えられる。
【００５２】
図４は、第２の実施形態による預金管理システムの構成を示すブロック図である。第２の実施形態としてインターネットバンキングが可能な預金管理システムを示す。
【００５３】
図４を参照すると、預金管理システムは、銀行センタ１２、インターネットバンキングサーバ１８、携帯端末１５、およびセキュアデバイス装置１４を有している。
【００５４】
第２の実施形態における銀行センタ１２、携帯端末１５、およびセキュアデバイス装置１４は第１の実施形態と同様のものである。インターネットバンキングサーバ１８と銀行センタ１２の間は例えば専用線１７で接続されている。携帯端末１５はインターネット１６によりインターネットバンキングサーバ１８に接続可能である。
【００５５】
本実施形態では、セキュアデバイス装置１４は携帯端末１５に装着された状態で利用される。ユーザは、セキュアデバイス装置１４の装着された携帯端末１５を操作し、インターネット１６を介してインターネットバンキングサーバ１８に接続することで、各種の口座間取引を実施することとなる。また、ここでは好適な例として携帯端末を示しているが、本発明はこれに限定されるものではなく、セキュアデバイス装置１４を装着可能かつインターネット１６に接続可能な情報処理装置であればよい。
【００５６】
本実施形態においてセキュアデバイス装置１４は図２に示した第１の実施形態と同じ構成を有する。
【００５７】
口座情報送出部２１は、ユーザがセキュアデバイス装置１４の装着された携帯端末１５でインターネットバンキングサーバ１８に接続すると、携帯端末１５を介してインターネットバンキングサーバ１８に口座情報を送信する。
【００５８】
取引情報暗号化部２２は、銀行センタ１２からインターネットバンキングサーバ１８を経由して受信した取引情報を暗号化する。
【００５９】
取引情報記録部２３は、取引情報暗号化部２２で暗号化された取引情報を記録する。取引情報記録部２３に記録された取引情報は更新が可能であり、また携帯端末１５による表示が可能である。
【００６０】
取引記録アクセス判定部２４は、ユーザが携帯端末１５を操作して入力したユーザ認証情報に基づき認証を行い、取引情報記録部２３に記録されている取引情報の開示の可否を判定する。
【００６１】
取引記録復号部２５は、取引記録アクセス判定部２４にて開示可能と判定された取引情報を取引情報記録部２３より取り出して復号し、携帯端末１５に送る。
【００６２】
図５は、セキュアデバイス装置１４の接続された携帯端末１５でインターネットバンキングサーバ１８に接続して取引を行うときのシステム動作を示すシーケンス図である。
【００６３】
図５を参照すると、まず、ユーザがインターネットバンキングサーバ１８に接続すると、セキュアデバイス装置１４とインターネットバンキングサーバ１８が相互に認証を行う。このときに行われる認証は、一例として、認証局（不図示）により発行される公開鍵および秘密鍵を用いて行うこととしてもよい。
【００６４】
相互認証の後、セキュアデバイス装置１４とインターネットバンキングサーバ１８は、例えば共通鍵を交換して暗号通信路を確立する。そして、セキュアデバイス装置１４は、その暗号通信路を用いて、口座情報をインターネットバンキングサーバ１８に送信する。インターネットバンキングサーバ１８は口座情報を受信すると、それを読み込んだ後、ユーザに暗証番号などの認証情報の入力を要求する。ユーザが認証情報を入力すると、インターネットバンキングサーバ１８は、口座情報および認証情報を銀行センタ１２に送信する。
【００６５】
銀行センタ１２は、口座情報および認証情報を受信すると、認証情報に基づいてユーザの認証を行い、認証結果をインターネットバンキングサーバ１８に送信する。
【００６６】
インターネットバンキングサーバ１８は、銀行センタ１２からの認証結果がＮＧであれば、処理を中止する。また、認証結果がＯＫであれば、ユーザに取引操作を要求する。ユーザが取引操作を行うと、インターネットバンキングサーバ１８は、ユーザ操作に基づき取引情報を生成して銀行センタ１２に送信する。
【００６７】
取引情報を受信した銀行センタ１２は、その取引情報に基づく取引処理により、自身の記録管理している情報を更新し、通帳記帳処理を行う。この通帳記帳処理により、銀行センタ１２は、未記帳の取引情報をインターネットバンキングサーバ１８に送信する。
【００６８】
銀行センタ１２から取引情報を受信したインターネットバンキングサーバ１８は、その取引情報をセキュアデバイス装置１４に送信する。インターネットバンキングサーバ１８から未記帳の取引情報を受信したセキュアデバイス装置１４は、その取引情報を暗号化して記録する。
【００６９】
以上説明したように、本実施形態の預金管理システムによれば、ユーザが携帯端末１５をインターネットバンキングサーバ１８に接続すると、セキュアデバイス装置１４がインターネットバンキングサーバ１８に口座情報を通知し、取引の結果である取引情報が銀行センタ１２からインターネットバンキングサーバ１８を経由して送られてくると、それを記録するので、インターネットバンキングにおいて従来には不可能であった即時の記帳を行うことができる。
【００７０】
図６は、第１または第２の実施形態による携帯端末１５の構成を示すブロック図である。この携帯端末１５は、セキュアデバイス装置１４に記録された取引情報を取り出して表示することができる。
【００７１】
図６を参照すると、携帯端末１５は、セキュアデバイス１４が取り外し可能に装着されている他に、認証情報送信部３１、取引記録表示部３２、および検索・並べ替え表示部３３を有している。
【００７２】
認証情報送信部３１は、ユーザからの要求に基づいて、セキュアデバイス装置１４内の取引情報にアクセスするために、セキュアデバイス装置１４に認証情報を送信する。認証情報は、例えばユーザの入力したＰＩＮコードである。
【００７３】
取引記録表示部３２は、認証情報送信部３１からセキュアデバイス装置１４に送信した認証情報により認証がＯＫとなって取引情報の開示が可と判定されたとき、セキュアデバイス装置１４から取引情報を取得して表示する。
【００７４】
検索・並べ替え表示部３３は、セキュアデバイス装置１４から得られた取引情報に対して、ユーザからの指示に基づき検索あるいは並べ替えを行い、その結果を表示する。
【００７５】
図７は、携帯端末１５がセキュアデバイス装置１４の取引情報を取得し、検索あるいは並べ替えをして表示するときのシステム動作を示すシーケンス図である。
【００７６】
図７を参照すると、まず、ユーザは携帯端末１５に対して、取引情報の参照を要求するために取引記録参照リクエストを入力する。取引記録参照リクエストに応じて、携帯端末１５は、ユーザに認証情報の入力を要求（認証情報リクエスト）する。ユーザが認証情報を入力すると、携帯端末１５は、その認証情報をセキュアデバイス装置１４に送信する。
【００７７】
セキュアデバイス装置１４は、携帯端末１５から認証情報を受信すると、その認証情報に基づき取引情報の開示の可否を判定（取引記録アクセス判定）する。
【００７８】
認証がＮＧとなって取引情報の開示が不可と判定されると、セキュアデバイス装置１４は、取引情報を携帯端末１５に送信することなく処理を中止する。このとき、携帯端末１５は、認証ＮＧあるいは取引情報表示不可などの表示を行うこととしてもよい。
【００７９】
一方、認証がＯＫとなって取引情報の開示が可と判定されると、セキュアデバイス装置１４は、暗号化されている取引情報を復号して携帯端末１５に送信する。セキュアデバイス装置１４から取引情報を取得した携帯端末１５は、その取引情報を表示する。
【００８０】
また、ユーザが検索または並べ替えを要求（検索、並べ替えリクエスト）すると、携帯端末１５は、取引情報に対して検索または並べ替えを行い、その結果を表示する。
【００８１】
以上説明したように、本実施形態によれば、セキュアデバイス装置１４は取引情報を暗号化して記録するので、セキュアデバイス装置１４が人手に渡った場合でもプライバシー情報である取引情報の漏洩を防止することができる。
【００８２】
また、本実施形態によれば、セキュアデバイス装置１４は、認証によりアクセスを許可されたユーザのみに取引情報を開示するので、取引情報について高いセキュリティ性を確保することができるとともに、家族のような限定された複数のユーザ間で取引情報を共有することもできる。
【００８３】
また、本実施形態によれば、携帯端末１５がユーザから与えられた認証情報をセキュアデバイス装置１４に送り、認証を得て取引情報を表示することができるので、ユーザは安全かつ容易に取引情報を確認することができる。
【００８４】
また、本実施形態によれば、携帯端末１５はセキュアデバイス装置１４から取得した取引情報に対して検索または並べ替えを行って表示することができるので、利便性の高いサービスをユーザに提供することができる。
【図面の簡単な説明】
【００８５】
【図１】第１の実施形態による預金管理システムの構成を示すブロック図である。
【図２】セキュアデバイス装置の構成を示すブロック図である。
【図３】ユーザが現金移動装置にてセキュアデバイス装置を用いて取引を行うときのシステム動作を示すシーケンス図である。
【図４】第２の実施形態による預金管理システムの構成を示すブロック図である。
【図５】セキュアデバイス装置の接続された携帯端末でインターネットバンキングサーバに接続して取引を行うときのシステム動作を示すシーケンス図である。
【図６】第１または第２の実施形態による携帯端末の構成を示すブロック図である。
【図７】携帯端末がセキュアデバイス装置の取引情報を取得し、検索あるいは並べ替えをして表示するときのシステム動作を示すシーケンス図である。
【符号の説明】
【００８６】
１０    ＩＣカードインターフェース
１１、１７    専用線
１２    銀行センタ
１３    現金移動装置
１４    セキュアデバイス装置
１５    携帯端末
１８    インターネットバンキングサーバ
２１    口座情報送出部
２２    取引情報暗号化部
２３    取引情報記録部
２４    取引記録アクセス判定部
２５    取引記録復号部
３１    認証情報送信部
３２    取引記録表示部
３３    検索・並べ替え表示部
【図１】
2006330992.tif 000003
【図２】
2006330992.tif 000004
【図３】
2006330992.tif 000005
【図４】
2006330992.tif 000006
【図５】
2006330992.tif 000007
【図６】
2006330992.tif 000008
【図７】
2006330992.tif 000009